(57)【要約】【課題】人や物の衝突防止機能があると共に美観にも優れている収納機能付き間仕切装置を提供する。【手段】間仕切装置は、天板１、上センター遮蔽体２、主収納体３、キャビネット５、下センター遮蔽体６、フロントパネル４を備えている。天板１と主収納体３とキャビネット５とは左右に背中合わせになっており、左右の準個室Ｐから使用できる。フロントパネル４の前面４ａは、平面視で外向き凸状に緩い曲率で湾曲している。フロントパネル４の前面が湾曲していることにより、柔らかい印象を与えて美観に優れていると共に、人の身体や物が当たってもこれを逃がすようにガイドされる。【選択図】図１
2009013707.tif 000002
【特許請求の範囲】
【請求項１】
室に設置して当該室の空間を左右に仕切る収納機能付き間仕切装置であり、
人が椅子に腰掛けて机として使用できる高さに位置されている平面視で前後長手の天板と、前記天板の上方の空間を左右に仕切るため天板の上方に配置した前後長手の上センター遮蔽体と、前記天板及び上センター遮蔽体を挟んで手前に配置したフロントパネルと、天板の下方に配置した下遮蔽手段とを備えており、前記フロントパネルは平面視で天板の長手方向と直交した左右方向に延びるように配置されている、
という構成において、
前記フロントパネルの前面を平面視で前向き凸の非平坦面に形成している、
収納機能付き間仕切装置。
【請求項２】
前記フロントパネルは、前面が平面視前向き凸の円弧状に湾曲した形状であると共に高さは１６００〜１９００ｍｍの高さで、かつ、平板状の背板と平面視湾曲した前面板との間に空間が空いた中空状に形成されており、このフロントパネルの内部に、同一形状の多数枚の補強材が、高さ７００〜１０００ｍｍの境界を境にしてそれより下方の部位での上下配置間隔が上方の部位での上下配置間隔よりも小さくなるように高密度で多段に配置されており、
かつ、複数人が収容される病室に可動式ベッドと平行に延びる姿勢で配置することで病室を複数の準個室と成し得るようになっている、
請求項１に記載した収納機能付き間仕切装置。
【発明の詳細な説明】
【技術分野】
【０００１】
本願発明は、例えば病室の大部屋に設置して当該大部屋を複数の準個室と成すのに使用される収納機能付き間仕切装置に関するものである。なお、本願発明では「病室」は可動式ベッドを設置して人が居住できる空間の総称として使用しており、従って、医療施設の入院用の部屋のみでなく、例えば老人用介護施設の部屋なども含んでいる。
【背景技術】
【０００２】
病院の大部屋を個々の入院患者のエリアごとに仕切る方法としては従来はカーテンや衝立が多用されていたが、このカーテンや衝立は遮蔽機能が貧弱で患者のプライバシー保護が不完全であった。他方、厚い壁パネルで仕切ってドア付きの個室と成すことも提案されているが、これは遮蔽機能には優れているものの、工事に多大の手間がかかって病院に多大の設置コストがかかる問題や、収納家具は別に設置せねばならないため患者の負担も嵩む問題、或いは、ドア付きであるためベッドの出し入れのためにはドアの外側に広い通路が必要となって部屋全体の使用効率が悪いという問題などがあった。
【０００３】
そこで、本願出願人は、例えば特許文献１において、平面視で細長い形状の収納機能付き間仕切装置を提案した。すなわちこの収納機能付き間仕切装置は、人が机として使用できる天板と、天板の奥側に配置したロッカー状の主収納部と、板状の手前側に配置したフロントパネル（特許文献１の用語はエンドパネル）と、天板の上方の空間を左右に仕切る壁状の遮蔽部材と、天板の下方のうち主収納部の側に配置したキャビネットとを備えており、主収納部とキャビネットとは左右対になっている。
【特許文献１】特開２００５−２１８７０１号公報
【発明の開示】
【発明が解決しようとする課題】
【０００４】
特許文献１の間仕切装置は、いわば天板と収納手段とを背中合わせに配置したものであり、工事は不要で室に設置するに過ぎないものでありながら全体として重厚であるため遮蔽機能に優れている利点や、間仕切装置が収納機能を備えているため患者の負担を無くすことができる利点、間仕切装置の左右両側は広く広がっているため通路の幅を過度に広くすることなくベッドを出し入れできて室のスペースを有効利用できるという利点、等々の利点があって現実に多くの施設で好評を博している。
【０００５】
さて、特許文献１の装置の構成要素であるフロントパネルは強度メンバーと遮蔽メンバーとしての機能を併有しており、フロントパネルの存在により、間仕切装置は高い安定性と堅牢性並びに遮蔽機能が確保されている。本願発明は、特許文献１に準拠しつつ、フロントパネルの機能をより一層向上させることを課題として成されたものである。
【課題を解決するための手段】
【０００６】
本願発明は、室に設置して当該室の空間を左右に仕切る収納機能付き間仕切装置に関するものであり、この間仕切装置は、人が椅子に腰掛けて机として使用できる高さに位置されている平面視で前後長手の天板と、前記天板の上方の空間を左右に仕切るため天板の上方に配置した前後長手の上センター遮蔽体と、前記天板及び上センター遮蔽体を挟んで手前に配置したフロントパネルと、天板の下方に配置した下遮蔽手段とを備えており、前記フロントパネルは平面視で天板の長手方向と直交した左右方向に延びるように配置されている。そして、特徴として、前記フロントパネルの前面を平面視で前向き凸の非平坦面に形成している。
【０００７】
本願発明に係る間仕切装置は、病院の大部屋を準個室化することに好適である。すなわち、間仕切装置は、複数人が収容される病室に可動式ベッドと平行に延びる姿勢で配置することで病室を複数の準個室と成すことができる。請求項２の構成は、本願発明を病室の準個室化用間仕切装置に適用した場合の好適例である。
【０００８】
すなわち請求項２では、請求項１において、前記フロントパネルは、前面が平面視前向き凸の円弧状に湾曲した形状であると共に高さは１６００〜１９００ｍｍの高さで、かつ、平板状の背板と平面視湾曲した前面板との間に空間が空いた中空状に形成されており、このフロントパネルの内部に、同一形状の多数枚の補強材が、高さ７００〜１０００ｍｍの境界を境にしてそれより下方の部位での上下配置間隔が上方の部位での上下配置間隔よりも小さくなるように高密度で多段に配置されている。
【発明の効果】
【０００９】
本願発明は、フロントパネルの前面を平面視で前向き凸の形状に形成した点を特徴とするものであるが、この独特の形状により、人や物がフロントパネルの左右端面に衝突して間仕切装置に衝撃が作用することを抑制できる。
【００１０】
つまり、フロントパネルの前面が平面視で前向き凸になっていると、人が通路を歩く場合、人はフロントパネルから無意識に離れる傾向を呈するのであるため（すなわち、フロントパネルと一定の距離を保とうとする傾向があるため）、仮に、通路を歩いている人の腕や荷物がフロントパネルに当たっても、人の腕や荷物はフロントパネルの側端面でなくて前面に当たることが殆どであり、そして、フロントパネルの前面は前向き凸の形状であるため、人の腕や荷物はフロントパネルの前面にガイドされる状態でフロントパネルからすべるようにして逃げることになり、その結果、間仕切装置に衝撃が作用することを抑制できるのである。
【００１１】
フロントパネルの前面を前向き凸に形成することでフロントパネルの全体として厚くなる傾向を呈するが、フロントパネルが厚くなっても、上記のとおり人の注意力を喚起することとガイド機能とによって却って側端面への衝突を抑制できると言える。従って、前向き凸の程度（曲面の場合は曲率半径）は、前向き凸の形態を人が瞬時に視認できる程度に設定しておくべきである。
【００１２】
フロントパネルを前向き凸状に形成したことでその厚さが厚くなると、その背面に上センター仕切体体等の他の部材を固定するにおいて固定強度をアップすることができる。この点も本願発明の利点の一つである。
【００１３】
フロントパネルの厚さが従来よりも厚くなると、装置全体の重厚感・高級感が高くなると共に、人の心をなごませるデザイン的な効果も発揮され得る。特に、請求項２のようにフロントパネルの前面を湾曲させると（すなわち丸みを持たせると）、やわらかい雰囲気がかもし出されるため特に病室用として好適である。
【００１４】
フロントパネルを木製板の削り出しや積層加工によって中実に製造することも可能であるが、既述のとおりフロントパネルはその前面を前向き凸となすことで全体として厚さが厚くなる傾向があり、中実であると重量が過度に大きくなる問題がある。従って、ある程度以上に厚くなる場合は中空構造とするのが好ましい。このようにフロントパネルを中空に形成した場合は、内部に補強材を配置する必要がある。
【００１５】
他方、病室に間仕切装置を病室に設置する場合、移動中のベッドがフロントパネルに当たったり配膳用等のワゴンが当たったりということが有り得るが、ベッドやワゴンはその高さが限られており、ベッドの高さは例えば４００〜５００ｍｍ程度が大半であり、また、配膳用等のワゴンも高さはせいぜい１０００ｍｍ程度が大半である。そして、請求項２の構成では、多数の補強材は同一形状であるため加工の手間を軽減できると共に、ベッドやワゴンが当たり易い部分に補強部材が高い密度で配置されているためフロントパネルの強度・耐久性を向上させることができる。
【発明を実施するための最良の形態】
【００１６】
次に、本願発明の実施形態を図面に基づいて説明する。本実施形態は病院の大部屋を仕切って複数の準個室と成すことに使用している。また、本願発明及び以下の実施形態で「前後」「左右」の文言を使用しているが、この前後・左右の文言は、間仕切装置の仕切りによって形成された準個室を入り口から奥に向いて見た状態を基準にしており、準個室の奥行き方向は前後方向で間口方向が左右方向である。図１〜３では第１実施形態（主たる実施形態）を示し、図４では変形例を示している。以下、順次説明する。
【００１７】
(1).第１実施形態の基本構造
図１は間仕切装置の全体の斜視図、図２は一部を省略した使用状態の平面図であり、間仕切装置で大部屋を仕切ることで間仕切装置の左右両側を準個室Ｐとなし、準個室Ｐに間仕切装置と平行な姿勢でベッドＢを設置している。準個室Ｐの出入り口はカーテンレール（図示せず）に吊支したカーテンＣで仕切られるようになっている。以下、間仕切装置の構造を説明する。
【００１８】
間仕切装置は、人が椅子Ｈに腰掛けて机として使用できる高さに配置された前後長手の天板１と、天板１の上方の空間を左右に仕切るため天板１の上方に配置した前後長手の上センター遮蔽体２と、天板１及び上センター遮蔽体２を挟んで後ろ側に配置された平面視略矩形の主収納体３と、天板１及び上センター遮蔽体２を挟んで手前に配置したフロントパネル４とを備えている。
【００１９】
天板１の下方の空間のうち主収納体３に寄った後半部には、左右の引出し式キャビネット５が背中合わせに配置されており、また、天板１の下方の空間のうち主収納体３に寄った前半部は、天板１の長手中心線に沿って延びる下センター遮蔽体６で左右に仕切られている。キャビネット５は、左右横長の１つの下段引出し５ａと左右の上段引出し５ｂとからなっており、右側の上段引出し５ｂには数字合わせ錠７を設けている。
【００２０】
本実施形態では、キャビネット５と下センター遮蔽体６とで請求項に記載した遮蔽手段が構成されている。キャビネット５を備えていない態様としたり、キャビネット５をオープン方式や引き戸方式としたりすることなども可能である。また、キャビネット５を設ける場合、左右の準個室Ｐで使用できる態様としては、左右背中合わせ方式とすることに限らず、前後互い違い方式としたり、上下互い違い方式とすることも可能である。
【００２１】
主収納体３はロッカー方式になっており、一方の準個室Ｐに開口した収納部と他方の準個室Ｐに開口した収納部とが背中合わせに配置されており、両収納部にはそれぞれ回動式の扉９を設けている。本実施形態では扉９は主収納体３の上下全高にわたって延びているが、例えば主収納体３の下部を引き出しとしてその上方に回動式扉９を配置するといったことも可能である。要するに、収納構造は任意に設定できるのである。図１に符号Ｋで示すのは建物の壁であり、本実施形態では、主収納体３が壁際に位置するようにして間仕切装置を配置している。
【００２２】
上センター遮蔽体２のうち下部は中空のセンターパネル１０になっており、このセンターパネル１０に電源コンセントや通信又はテレビ用ジャック等を設けたコネクタユニット１１を装着している。上センター遮蔽体２のうちセンターパネル１０よりも上方の部位は枠組み構造になっており、枠材１２で仕切られた各エリアに、各種の板材１３を装着している。符号１４はホワイトボードである。
【００２３】
板材１３としては、すりガラス、半透明樹脂板、障子状もの、プリント板などの各種のものを採用できる。全体を木板等で構成することも可能である。すなわち、上センター遮蔽体２の構造も任意に設定できるのである。上センター遮蔽体２の上端に左右に張り出した庇を設けることも可能である。天板１は左右に分離することも可能である。
【００２４】
言うまでもないが、天板１と上センター遮蔽体２、上センター遮蔽体２と主収納体３及びフロントパネル４、天板１とキャビネット５、キャビネット５と主収納体３、天板１と下センター遮蔽体６、下センター遮蔽体６とキャビネット５は、それぞれビス止め等によって互いに固定されている。
【００２５】
本実施形態では、上センター遮蔽体２と主収納体３とフロントパネル４とは同じ高さに設定されている。そして、フロントパネル４は、その前面４ａが平面視で前向き凸状に緩い曲率で湾曲した円弧状に形成されている。以下、図３も参照してフロントパネル４を説明する。図３のうち（Ａ）は一部破断正面図、（Ｂ）は（Ａ）のＢ−Ｂ視断面図拡大断面図である。
【００２６】
(2).フロントパネル４の構造の詳細
図３から容易に理解できるように、フロントパネル４は、天板１と上下のセンター遮蔽体２，６に固定された背板１５と、平面視で円弧状に湾曲した前板１６と、左右端面板１７と、上枠１８及び下板１９とを備えており、これらによって中空の横長カマボコ形に形成されており、かつ、内部には、背板１５と前板１６と端面板１７とに接着された補強板（或いは補強材）２０の群が多段に配置されている。
【００２７】
背板１５は例えば合板のような強靱な素材からなっている。また、前板１６はベニヤ板のような撓み変形が容易な素材からなっており、その表面（前面）には化粧層の例としてメラミン樹脂板２１を接着している。端面板１７の外面にも化粧板２２を接着している。
【００２８】
補強板２０は合板や積層材や成形材のように反りの少ない素材からなっている。そして、補強板２０をフロントパネル４の内部に多段に配置するにおいて、例えば高さ８００ｍｍ程度を境界として、境界よりも下方の部位の間隔寸法Ｌ１が境界よりも上方の部分の間隔寸法Ｌ２よりも小さい寸法と成すことにより、フロントパネル４の下部を、補強板２０の配置密度が高くなった高補強部２３と成している。
【００２９】
補強板２０の間隔寸法の絶対値は用途等に応じて任意に設定できるが、本願発明者の実験では、例えば、Ｌ１は９０ｍｍ程度、Ｌ２は１８０ｍｍ程度で良かった。補強板２０の厚さも任意に設定でき、例えば２０〜４０ｍｍで良い。フロントパネル４の厚さや前面の４ａの曲率は任意に設定できる。例えば、全体の厚さは６０〜１００ｍｍの範囲とすることができる。また、端面の寸法と全体の厚さとの比率は、２〜３倍程度にするのが好適であった。
【００３０】
(3).まとめ
カーテンＣを開いた状態で通路Ｔを人が歩くが、このとき、誤ってフロントパネル４に身体（腕や足）が触れたり持っている物が触れたりすることがある。しかして、フロントパネル４が前向き凸の形態になっていると、人の注意機能が喚起されることにより、人は無意識のうちにフロントパネル４の先端面との間にある程度の間隔を保とうとする傾向を呈し勝ちであり、このため、仮に身体や物がフロントパネル４に当たっても、図２に点線矢印Ａで示すように、身体や物はフロントパネル４の端面でなく前面４ａに当たる傾向を呈する。
【００３１】
すると、フロントパネル４の前面が前向き凸に湾曲していることのガイド機能により、身体や物は前面４ａに反らされるような状態となり、このためフロントパネル４に大きな衝撃が作用することを抑制できる。
【００３２】
また、ベッドＢを準個室Ｐに出し入れするに際してベッドＢの側面がフロントパネル４の前面４ａに当たる（接触する）ことが有り得るが、フロントパネル４の前面４ａは湾曲しているため、図２に一点鎖線で示すように、ベッドＢはフロントパネル４の前面に案内されながら移動する傾向を呈しており、このため、間仕切装置に衝撃が作用することを抑制できる。
【００３３】
更に、ベッドＢの出し入れに際してベッドＢがフロントパネル４の前面４ａに当たることがあり、また、配膳用等のワゴンＷがフロントパネル４の前面４ａに当たることが有り得るが、ベッドＢの高さは大むね５００ｍｍ内外であり、また、ワゴンＷもさほど高さは高くない一方、フロントパネル４のうち例えば下から８００ｍｍ程度の高さの範囲は高補強部２３になっているため、高い耐久性を確保できるのである。本実施形態のようにフロントパネル４の前面４ａをメラミン樹脂板２１で構成すると、メラミン樹脂板は高い硬度があるため傷付きを防止又は著しく抑制できる利点がある。
【００３４】
本実施形態ではフロントパネル４は基本的には木製になっているが、スチール製とすることも可能である（この場合は、フロントパネル４の少なくとも前面と側面とをクロスで覆うのが好ましい）。スチール製の芯枠に木製の表面板を張るといったことも可能である。また、フロントパネル４を中空構造とする場合、その内部に縦長の補強材を配置することも可能である。
【００３５】
(4).他の実施形態
図４ではフロントパネル４の別例を示している。このうち（Ａ）に示す例は基本的には第１実施形態と同じで、第１実施形態との相違点として側端面が丸みを帯びている。（Ｂ）に示す例ではフロントパネル４は全体として等厚でかつ外向き凸に湾曲している。（Ｃ）及び（Ｄ）に示す例はフロントパネル４を平面視で略台形状に形成しており、このため、前面４ａは、背面と平行な平坦面４ａ′とその左右の斜面４ａ″とを有しており、（Ｃ）では斜面４ａ″は曲面になっており、（Ｄ）では斜面４ａ″は平坦面になっている。
【００３６】
以上の実施形態は本願発明の例示に過ぎず、本願発明は更に様々に具体化することができる。例えば、ロッカー状の嵩高の主収納体を天板の手前側に配置したり、主収納体を天板の前後両側に配置したりすることも可能であり、主収納体を天板の手前に配置した場合は、フロントパネルは主収納体の前面に固定することになる。
【図面の簡単な説明】
【００３７】
【図１】間仕切装置の全体の斜視図である。
【図２】一部を省略した使用状態の平面図である。
【図３】フロントパネル４の構造を示す図である。
【図４】他の実施形態を示す図である。
【符号の説明】
【００３８】
１  天板
２  上センター遮蔽体
３  主収納体
４  フロントパネル
５  下遮蔽手段の一部を構成するキャビネット
６  下遮蔽手段の一部を構成する下センター遮蔽体
１５  背板
１６  前板
２０  補強板
Ｂ  ベッド
Ｐ  準個室
【図１】
2009013707.tif 000003
【図２】
2009013707.tif 000004
【図３】
2009013707.tif 000005
【図４】
2009013707.tif 000006